(57)【要約】【課題】エアパージ作業中にボイラトリップに移行することのないボイラトリップ移行シーケンス回路、すなわちボイラ制御システムを提供すること。【解決手段】エアパージが行われると、圧力スイッチ１００がオンする。これによりリレー１０６の電磁部に電源が供給され、リレー１０６のスイッチ部が導通する。リレー１０６のスイッチ部が導通すると、テストターミナル１１３が回路切断状態である場合、リレー１０８の電磁部に電力が供給されない。すなわち、リレー１０６のスイッチ部が導通した段階にて、ボイラトリップ移行シーケンスが終了（中断）するので、ボイラトリップとなることはなく、タービントリップ、発電機トリップへと移行し、発電の停止に至るようなこともなく、確実にボイラトリップを回避できる。【選択図】図２
2008170087.tif 000002
【特許請求の範囲】
【請求項１】
火炉と、
前記火炉内の圧力を計測すると共に、該計測した値が所定の値を超えるとオンする圧力スイッチを含む火炉ドラフト計と、
前記火炉内の圧力を、前記火炉ドラフト計へ導く検出管と、
前記検出管の内部に付着した灰を除去するために、該検出管に対して火炉側に向かってエアパージを行う、雑用空気供給手段と、
前記雑用空気供給手段より供給された雑用空気によって前記検出管に対してエアパージを行う際に、該エアパージに伴う圧力によって、前記火炉ドラフト計の圧力スイッチが動作することによる火炉を停止させるためのボイラトリップへの移行を、少なくとも前記エアパージの期間中、停止させる、ボイラトリップ移行シーケンス回路と、
を備えたことを特徴とするボイラ制御システム。
【請求項２】
前記ボイラトリップ移行シーケンス回路は、
前記圧力スイッチと、
該圧力スイッチがオンすることによって、そのスイッチ部が導通状態となる第１のリレーと、
前記第１のリレーのスイッチ部が導通することで、所定時間遅延してそのスイッチ部が導通状態となる第２のリレーと、
前記第２のリレーのスイッチ部が導通することで、そのスイッチ部が導通状態となり、ボイラトリップ信号が出力される契機となる第３のリレーと、
前記ボイラトリップ信号を実際に出力する第４のリレーと、
を備えて構成され、
前記第１のリレーのスイッチ部が導通した際に前記第２のリレーの電磁部に電力が供給されなくなる位置または前記第３のリレーのスイッチ部が導通した際に前記第４のリレーの電磁部に電力が供給されなくなる位置に、エアパージ期間中にボイラトリップへの移行が行われないようにするための、前記第２のリレーの電磁部に電力を供給する回路または前記第４のリレーの電磁部に電力を供給する回路を切断する回路切断手段が設けられていることを特徴とする請求項１に記載のボイラ制御システム。
【請求項３】
前記圧力スイッチ及び前記第１のリレーを複数有し、少なくとも２個の前記圧力スイッチがオンすることで前記複数の第１のリレーのスイッチ部が構成する回路のうちの少なくとも１つが導通して前記第２のリレーの電磁部に対して電力を供給し得る常態となることを特徴とする請求項２に記載のボイラ制御システム。
【請求項４】
前記回路切断手段は、テストターミナルであることを特徴とする請求項２または３に記載のボイラ制御システム。
【発明の詳細な説明】
【技術分野】
【０００１】
本発明は、ボイラ制御システムに関する。
【背景技術】
【０００２】
従来より、発電所等に配置される配電盤等には、ボイラ等の事故・故障等を減少させる目的で、多くの継電器等が収容されている。そして、これら継電器等からなるシーケンス回路の動作試験を実施する際、安全のために、該シーケンス回路中には、必要な所定の回路を切断するための、複数のテストターミナル（試験用端子：Ｔｅｓｔ  Ｔｅｒｍｉｎａｌ）が設けられている（例えば、特許文献１参照）。
【０００３】
これは、回路を切断する手段として、テストターミナルが絶縁性、難燃性、耐衝撃性に優れ、安定的に且つ確実に回路を切断または接続することが出来るからである。
【０００４】
ところで、これらシーケンス回路の中には、ボイラ（火炉）内の圧力を監視し、該圧力が規定値を超えて異常に高まったときに、自動的に火炉を停止させる機能を有するものがある。以降、このシーケンス回路を、ボイラトリップ移行シーケンス回路と称する。
【０００５】
一般に、火炉内の圧力の監視は火炉ドラフト計（圧力スイッチ）により行われている。火炉ドラフト計には、火炉から延びる検出管を介して火炉内の圧力（気圧）が伝達されるようになっている。
【０００６】
しかし、この検出管には、特に火炉の燃料が石炭等の場合、検出管内部の管壁に灰等が付着し、詰まりが生じてしまい正確に圧力の測定が出来なくなるという問題があった。このため、従来、定期的に、検出管の火炉ドラフト計側から火炉側へ向けて、高圧の雑用空気を送り、灰等を吹き飛ばす（以降、エアパージと称する）ことにより、検出管が詰まらないようにしていた。この際、火炉ドラフト計の圧力スイッチに、エアパージによる圧が直接かからないように、火炉ドラフト計側に三方弁を設け、該三方弁を切替えて、エアパージにより逆流する圧を大気側に逃がすことで、圧力スイッチが動作して、ボイラトリップ（火炉停止）を起こさないようにしていた（図８参照）。
【特許文献１】特開２００６−８１３７０号公報
【発明の開示】
【発明が解決しようとする課題】
【０００７】
しかしながら、人為的ミスによる三方弁の切替え忘れや、切替えは行ったものの弁シートが完全に切替わらなかった場合や、エアパージによる圧がシート漏洩している場合などには、圧力スイッチが動作してしまい、ボイラトリップを起こしてしまうといった問題があった。
【０００８】
本発明は、上記問題に鑑みてなされたものであり、エアパージ作業中にボイラトリップに移行することのないボイラトリップ移行シーケンス回路、すなわちボイラ制御システムを提供することを目的とする。
【課題を解決するための手段】
【０００９】
本発明では、以下のようなものを提供する。
【００１０】
（１）本発明は、火炉と、前記火炉内の圧力を計測すると共に、該計測した値が所定の値を超えるとオンする圧力スイッチを含む火炉ドラフト計と、前記火炉内の圧力を、前記火炉ドラフト計へ導く検出管と、前記検出管の内部に付着した灰を除去するために、該検出管に対して火炉側に向かってエアパージを行う、雑用空気供給手段と、前記雑用空気供給手段より供給された雑用空気によって前記検出管に対してエアパージを行う際に、該エアパージに伴う圧力によって、前記火炉ドラフト計の圧力スイッチが動作することによる火炉を停止させるためのボイラトリップへの移行を、少なくとも前記エアパージの期間中、停止させる、ボイラトリップ移行シーケンス回路と、を備えたことを特徴とするものである。
【００１１】
（１）に記載のボイラ制御システムによれば、エアパージの作業中には、ボイラトリップ移行シーケンス回路は、火炉を停止させるためのボイラトリップへの移行の条件が発生しても、ボイラトリップへの移行を行わない。
【００１２】
このことにより、本ボイラ制御システムによれば、火炉が運転中であっても、火炉の停止シーケンスが働かないので、安心してエアパージ作業を行うことが出来る。
【００１３】
（２）本発明は、（１）のボイラ制御システムにおいて、前記ボイラトリップ移行シーケンス回路は、前記圧力スイッチと、該圧力スイッチがオンすることによって、そのスイッチ部が導通状態となる第１のリレーと、前記第１のリレーのスイッチ部が導通することで、所定時間遅延してそのスイッチ部が導通状態となる第２のリレーと、前記第２のリレーのスイッチ部が導通することで、そのスイッチ部が導通状態となり、ボイラトリップ信号が出力される契機となる第３のリレーと、前記ボイラトリップ信号を実際に出力する第４のリレーと、を備えて構成され、前記第１のリレーのスイッチ部が導通した際に前記第２のリレーの電磁部に電力が供給されなくなる位置または前記第３のリレーのスイッチ部が導通した際に前記第４のリレーの電磁部に電力が供給されなくなる位置に、エアパージ期間中にボイラトリップへの移行が行われないようにするための、前記第２のリレーの電磁部に電力を供給する回路または前記第４のリレーの電磁部に電力を供給する回路を切断する回路切断手段が設けられていることを特徴とするものである。
【００１４】
（２）に記載のボイラ制御システムによれば、ボイラトリップ移行シーケンス回路において、第２のリレーの電磁部に電力が供給されないように、または、ボイラトリップへの移行のトリガとなる信号を発生する第４のリレーの電磁部に電力が供給されないように、回路切断手段が、当該回路を切断する。
【００１５】
このことにより、エアパージによって火炉側から逆流してきた雑用空気（圧）により、圧力スイッチがオンとなっても、ボイラトリップへの移行のトリガとなる信号を発生する第４のリレーの電磁部に電力が供給されないので、確実にボイラトリップへの移行を阻止することが出来る。
【００１６】
（３）本発明は、（２）のボイラ制御システムにおいて、前記圧力スイッチ及び前記第１のリレーを複数有し、少なくとも２個の前記圧力スイッチがオンすることで前記複数の第１のリレーのスイッチ部が構成する回路のうちの少なくとも１つが導通して前記第２のリレーの電磁部に対して電力を供給し得る常態となることを特徴とするものである。
【００１７】
（３）に記載のボイラ制御システムによれば、ボイラトリップ移行シーケンス回路において、圧力スイッチ及び第１のリレーが複数設けられ、少なくとも２個の圧力スイッチがオンしないとボイラトリップ移行シーケンスが起動しない。
【００１８】
このことにより、各火炉ドラフト計（圧力スイッチ）に接続される検出管に対してエアパージを行う際に、１本ずつ行う（２本以上同時に行わない）ようにすれば、ボイラトリップ移行シーケンスが起動しないので、安心してエアパージ作業を行うことが出来る。
【００１９】
（４）本発明は、（２）または（３）のボイラ制御システムにおいて、前記回路切断手段が、テストターミナルであることを特徴とするものである。
【００２０】
（４）に記載のボイラ制御システムによれば、回路切断手段として、テストターミナルを採用している。
【００２１】
このことにより、回路切断手段として、絶縁性、難燃性、耐衝撃性に優れ、安定的に且つ確実に回路を切断または接続することが出来るので、よりボイラトリップ移行シーケンスの起動を阻止出来、したがって、より安心してエアパージ作業を行うことが出来る。
【発明の効果】
【００２２】
本発明によれば、三方弁の誤操作や劣化による圧漏れ等により、圧力スイッチがオンしてしまうことによるボイラトリップへの移行を確実に防止できる。また、火炉を停止させることなく、運転中であっても、検出管内の掃除（エアパージ）を行うことが出来る。さらに、テストターミナルの使用により、確実にボイラトリップへの移行を阻止できると共に、エアパージ作業後における、ボイラトリップ移行シーケンスの復旧操作も簡単に出来る。
【発明を実施するための最良の形態】
【００２３】
以下、本発明の実施の形態について図を参照して詳細に説明する。
図１は、本発明のボイラ制御システムの一例を示した図である。
【００２４】
図１に示すように、本発明のボイラ制御システムは、ボイラトリップ移行シーケンス回路２００（または２０１：図示せず）と、それに含まれる圧力スイッチ１００と、火炉ドラフト計１０５と、雑用空気供給手段１０２と、検出管１０４と、火炉１０３とにより構成される。
【００２５】
雑用空気供給手段１０２より、圧縮された雑用空気（０．７ＭＰａ程度）は、検出管１０４を介して、火炉１０３内部に注入される。このエアパージ作業が行われると、検出管１０４の内壁面に付着した灰等が除去される。この際、このエアパージにより検出管１０４に送り込まれた雑用空気の一部が、火炉ドラフト計１０５側に逆流し、火炉ドラフト計１０５に含まれる圧力スイッチが、設定値を超えてオンする。これにより、ボイラトリップ移行シーケンス回路２００（または２０１）により、ボイラトリップ移行シーケンスが開始される。
【００２６】
〔圧力スイッチ及び第１のリレーがそれぞれ１つの場合〕
図２は、ボイラトリップ移行シーケンス回路２００の一例（圧力スイッチ及び第１のリレーがそれぞれ１つの場合）を示した図である。図２を参照しながら、エアパージにより、ボイラトリップに移行する場合と移行しない場合、すなわち、テストターミナルが短絡している場合と（回路が）切断されている場合について説明する。
【００２７】
ここで、ボイラトリップ移行シーケンス回路２００は、圧力スイッチ１００と、第１のリレーであるリレー（電磁部とスイッチ部でワンセット）１０６と、第２のリレーであるリレー（電磁部とスイッチ部）１０８と、第３のリレーであるリレー１１０（電磁部とスイッチ部）と、ボイラトリップへの移行のトリガとなる信号を発生する第４のリレーであるリレー（電磁部）１１２と、リレー１１２の電磁部に電力が供給されないように回路を切断する回路切断手段であるテストターミナル１１３とにより構成される。尚、リレー１０８は遅延動作型リレーであって、電磁部に電力が供給されてから、スイッチ部が導通するまでに、例えば３０秒程のタイムラグがある。
【００２８】
先ず、エアパージを行うことにより、ボイラトリップに移行する場合（テストターミナル１１３が短絡している場合）について説明する。
【００２９】
前述の通り、エアパージが行われると、検出管１０４からのエアパージの逆流（雑用空気の逆流）により圧力スイッチ１００がオンする。これによりリレー１０６の電磁部に電力が供給され、リレー１０６のスイッチ部が導通する。リレー１０６のスイッチ部が導通すると、この場合、テストターミナル１１３は短絡状態であるので、リレー１０８の電磁部に電力が供給され、リレー１０８のスイッチ部が例えば３０秒のタイムラグをもって導通する。リレー１０８のスイッチ部が導通すると、リレー１１０の電磁部に電力が供給され、リレー１１０のスイッチ部が導通する。これにより、リレー１１２の電磁部に電力が供給され、図示しないリレー１１２のスイッチ部が導通してボイラトリップに移行する。図示していないが、その後、タービントリップ、発電機トリップへと自動的に移行し、火炉１０３に関わる発電が停止することとなる。すなわち、エアパージ作業を行うことにより、発電が停止してしまうこととなる。
【００３０】
次に、本発明の目的である、火炉１０３が稼働中にエアパージを行っても、ボイラトリップに移行しない場合（テストターミナル１１３が切断されている場合）について説明する。
【００３１】
前述と同様に、エアパージが行われると、圧力スイッチ１００がオンする。これによりリレー１０６の電磁部に電源が供給され、リレー１０６のスイッチ部が導通する。リレー１０６のスイッチ部が導通すると、この場合、テストターミナル１１３は回路切断状態であるので、リレー１０８の電磁部に電力が供給されない。すなわち、リレー１０６のスイッチ部が導通した段階にて、ボイラトリップ移行シーケンスが終了（中断）するので、ボイラトリップとなることはない。勿論、タービントリップ、発電機トリップへと移行し、発電の停止に至るようなことは無い。
【００３２】
以上（図２）の説明において、テストターミナル１１３は、第１のリレー（リレー１０６）のスイッチ部が導通した際に第２のリレー（リレー１０８）の電磁部に電力が供給されなくなる位置に配置されるとして説明したが、これに限られることは無く、例えば、図３に示される位置、すなわち第３のリレー（リレー１１０）のスイッチ部が導通した際に第４のリレー（リレー１１２）の電磁部に電力が供給されなくなる位置に配置するようにしても良い。さらに、テストターミナル１１３は、圧力スイッチ１００がオンした際に、最終的にリレー１１２の電磁部に電力が供給されなくなる位置であれば、ボイラトリップ移行シーケンス回路２０１（または２０２）内の回路のどこに設けられていても良い。
【００３３】
次に、図３を参照して、エアパージにより、ボイラトリップに移行する場合と移行しない場合、すなわち、テストターミナルが短絡している場合と（回路が）切断されている場合について説明する。
尚、図３のボイラトリップ移行シーケンス回路２０１の構成については、テストターミナルを、リレー１１０のスイッチ部が導通した際にリレー１１２の電磁部に電力が供給されなくなる位置に配置した以外、図２のボイラトリップ移行シーケンス回路２００の場合と基本的に同一であるので、説明は省略する。
【００３４】
また、図３の動作についての説明であるが、ボイラトリップに移行する場合、すなわち、テストターミナルが短絡している場合の動作説明については、図２の場合と同様であるので説明は省略し、ボイラトリップに移行しない場合、すなわち、テストターミナルが切断されている場合について説明する。
【００３５】
エアパージが行われると、圧力スイッチ１００がオンする。これによりリレー１０６の電磁部に電力が供給され、リレー１０６のスイッチ部が導通する。リレー１０６のスイッチ部が導通すると、リレー１０８の電磁部に電力が供給される。リレー１０８の電磁部に電力が供給されると、リレー１１０のスイッチ部が導通する。リレー１１０のスイッチ部が導通すると、この場合、テストターミナル１１３は回路切断状態であるので、すなわち、リレー１１０のスイッチ部が導通した段階にて、ボイラトリップ移行シーケンスが終了（中断）する。したがって、ボイラトリップとなることはない。勿論、タービントリップ、発電機トリップへと移行し、発電の停止に至るようなことは無い。
【００３６】
このように、ボイラトリップ移行シーケンス回路２０１では、第３のリレー（リレー１１０）のスイッチ部が導通する段階までボイラトリップ移行シーケンスが進行（ボイラトリップ移行シーケンス回路２００では、第１のリレー（リレー１０６）のスイッチ部が導通する段階まで進行）するが、第４のリレー（リレー１１２）の電磁部に電力が供給されることは無いので、確実にボイラトリップへの移行を防止することが出来る。
【００３７】
図４は、テストターミナルの一例を示した図である。図４に示すように、テストターミナルは、２つのターミナル１２８，１３０と、該ターミナル１２８，１３０間に装着され、ターミナル１２８，１３０間を短絡する短絡部材１２９とにより構成される。そして、テストターミナルの短絡及び回路切断は、一般に、短絡部材１２９をターミナル１２８，１３０間に装着するかしないかによって行われるが、短絡状態にあるテストターミナルを、ボイラトリップ移行シーケンス回路に直接装着するか、外すかによって行うようにしても良い。
【００３８】
〔圧力スイッチ及び第１のリレーがそれぞれ複数の場合〕
図５は、ボイラトリップ移行シーケンス回路２０２の一例（圧力スイッチ及び第１のリレーが複数個存在する場合：本実施の形態ではそれぞれ３つの場合）を示した図である。図５を参照しながら、エアパージにより、ボイラトリップに移行する場合と移行しない場合、すなわち、テストターミナルが短絡している場合と（回路が）切断されている場合について説明する。
【００３９】
このボイラトリップ移行シーケンス回路２０２では、圧力スイッチ２つ以上がオンしたときにボイラトリップ移行シーケンスが開始される。尚、圧力スイッチ２つ以上がオンしたときにボイラトリップ移行シーケンスが開始されるのは、計器（圧力スイッチ等）の誤動作によるボイラトリップを避けるためである。
【００４０】
また、このときのボイラ制御システムの構成は図６に示すとおりである。すなわち、図１の場合と比較して、検出管が３つ（検出管１０４ａ，１０４ｂ，１０４ｃ）、火炉ドラフト計が３つ（火炉ドラフト計１０５ａ，１０５ｂ，１０５ｃ）雑用空気供給手段が２つ（雑用空気供給手段１０２ａ，１０２ｂ）、圧力スイッチが３つ（圧力スイッチ１１５，１１６，１１７）で構成されている。ここで、雑用空気供給手段は１つで構成するようにしても良い。
【００４１】
図５に示すように、ボイラトリップ移行シーケンス回路２０２は、圧力スイッチ１１５〜１１７と、リレー（電磁部とスイッチ部ａ，ｂでワンセット）１２３，１２４，１２５と、リレー（電磁部とスイッチ部でワンセット）１０８，１１０と、ボイラトリップへの移行のトリガとなる信号を発生するリレー（電磁部）１１２と、リレー１１２の電磁部に電力が供給されないように回路を切断する回路切断手段であるテストターミナル１２７とにより構成される。尚、リレー１０８は遅延動作型リレーであって、電磁部に電力が供給されてから、スイッチ部が導通するまでに、例えば３０秒程のタイムラグがある。
【００４２】
先ず、エアパージを行うことにより、ボイラトリップに移行する場合（テストターミナル１２７が短絡している場合）について説明する。尚、本実施の形態では、圧力スイッチ１１５及び１１６がオンした場合を例に説明を行う。
【００４３】
前述の通り、エアパージが行われると、検出管１０４ａ及び１０４ｂからのエアパージの逆流（雑用空気の逆流）により圧力スイッチ１１５及び１１６がオンする。これによりリレー１２３及び１２４の電磁部に電力が供給され、リレー１２３のスイッチ部ａ及びスイッチ部ｂが導通すると共に、リレー１２４のスイッチ部ａ及びスイッチ部ｂが導通する。すなわち、リレー１２３のスイッチ部ａ及びリレー１２４のスイッチ部ａが導通して、回路（電流の流れる道）が形成される。
【００４４】
リレー１２３のスイッチ部ａ及びリレー１２４のスイッチ部ａが導通すると、この場合、テストターミナル１２７は短絡状態であるので、リレー１０８の電磁部に電力が供給され、リレー１０８のスイッチ部が例えば３０秒タイムラグをもって導通する。リレー１０８のスイッチ部が導通すると、リレー１１０の電磁部に電力が供給され、リレー１１０のスイッチ部が導通する。これにより、リレー１１２の電磁部に電力が供給され、図示しないリレー１１２のスイッチ部が導通してボイラトリップへと移行する。図示していないが、その後、タービントリップ、発電機トリップへと自動的に移行し、火炉１０３に関わる発電が停止することとなる。すなわち、エアパージ作業を行うことにより、発電が停止してしまうこととなる。
【００４５】
次に、本発明の目的である、火炉１０３が稼働中にエアパージを行っても、ボイラトリップに移行しない場合（テストターミナル１２７が切断されている場合）について説明する。
【００４６】
前述と同様に、エアパージが行われると、圧力スイッチ１１５及び１１６がオンする。これにより、リレー１２３及び１２４の電磁部に電力が供給され、リレー１２３のスイッチ部ａ及びスイッチ部ｂが導通すると共に、リレー１２４のスイッチ部ａ及びスイッチ部ｂが導通する。すなわち、リレー１２３のスイッチ部ａ及びリレー１２４のスイッチ部ａが導通して、回路（電流の流れる道）が形成される。
【００４７】
リレー１２３のスイッチ部ａ及びリレー１２４のスイッチ部ａが導通すると、この場合、テストターミナル１２７は回路切断状態であるので、リレー１０８の電磁部に電力が供給されない。すなわち、リレー１２３のスイッチ部ａ及びリレー１２４のスイッチ部ａが導通した段階にて、ボイラトリップ移行シーケンスが終了（中断）するので、ボイラトリップとなることはない。勿論、タービントリップ、発電機トリップへと移行し、発電の停止に至るようなことは無い。
【００４８】
以上（図５）の説明において、テストターミナル１２７は、リレー１２３のスイッチ部ａ及びリレー１２４のスイッチ部ａが導通することにより形成される回路から、リレー１０８の電磁部に電力が供給されなくなる位置に配置されているとして説明したが、これに限られることは無く、例えば、図７に示される位置、すなわちリレー１１０のスイッチ部が導通した際にリレー１１２の電磁部に電力が供給されなくなる位置に配置するようにしても良い。さらに、テストターミナル１２７は、圧力スイッチ１１５及び１１６がオンした際に、最終的にリレー１１２の電磁部に電力が供給されなくなる位置であれば、ボイラトリップ移行シーケンス回路２０２（または２０３）内の回路のどこに設けられていても良い。
【００４９】
次に、図７を参照して、エアパージにより、ボイラトリップに移行する場合と移行しない場合、すなわち、テストターミナルが短絡している場合と（回路が）切断されている場合について説明する。
【００５０】
尚、図７のボイラトリップ移行シーケンス回路２０１の構成については、テストターミナルを、リレー１１０のスイッチ部が導通した際にリレー１１２の電磁部に電力が供給されなくなる位置に配置した以外、図５のボイラトリップ移行シーケンス回路２０２の場合と基本的に同一であるので、説明は省略する。
【００５１】
また、図７の動作についての説明であるが、ボイラトリップに移行する場合、すなわち、テストターミナルが短絡している場合の動作説明については、図５の場合と同様であるので説明は省略し、ボイラトリップに移行しない場合、すなわち、テストターミナルが切断されている場合について説明する。この場合も、圧力スイッチ１１５及び１１６がオンした場合を例に説明を行う。
【００５２】
エアパージが行われると、圧力スイッチ１１５及び１１６がオンする。これにより、リレー１２３及び１２４の電磁部に電力が供給され、リレー１２３のスイッチ部ａ及びスイッチ部ｂが導通すると共に、リレー１２４のスイッチ部ａ及びスイッチ部ｂが導通する。すなわち、リレー１２３のスイッチ部ａ及びリレー１２４のスイッチ部ａが導通して、回路（電流の流れる道）が形成される。
【００５３】
リレー１２３のスイッチ部ａ及びリレー１２４のスイッチ部ａが導通すると、リレー１０８の電磁部に電力が供給される。リレー１０８の電磁部に電力が供給されると、リレー１１０のスイッチ部が導通する。リレー１１０のスイッチ部が導通すると、この場合、テストターミナル１２７は回路切断状態であるので、リレー１１０のスイッチ部が導通した段階にて、ボイラトリップ移行シーケンスが終了（中断）する。したがって、ボイラトリップとなることはない。勿論、タービントリップ、発電機トリップへと移行し、発電の停止に至るようなことは無い。
【００５４】
このように、ボイラトリップ移行シーケンス回路２０３では、リレー１１０のスイッチ部が導通する段階までボイラトリップ移行シーケンスが進行（ボイラトリップ移行シーケンス回路２０２では、リレー１２３のスイッチ部ａ及びリレー１２４のスイッチ部ａが導通する段階まで進行）するが、リレー１１２の電磁部に電力が供給されることは無いので、確実にボイラトリップへの移行を防止することが出来る。
【００５５】
以上、実施例について説明したが、本発明はこれに限られるものではなく、特許請求の範囲内での種々の設計変更及び修正を加えることができる。
【図面の簡単な説明】
【００５６】
【図１】本発明のボイラ制御システムの一例を示す図である。
【図２】本発明のボイラトリップ移行シーケンス回路２００を示す図である。
【図３】本発明のボイラトリップ移行シーケンス回路２０１を示す図である。
【図４】テストターミナルの一例を示す図である。
【図５】本発明のボイラトリップ移行シーケンス回路２０２を示す図である。
【図６】本発明のボイラ制御システムの他の例を示した図である。
【図７】本発明のボイラトリップ移行シーケンス回路２０３を示す図である。
【図８】従来のボイラ制御システムの構成を示す図である。
【符号の説明】
【００５７】
１００，１１５，１１６，１１７  圧力スイッチ
１０２，１０２ａ，１０２ｂ      雑用空気供給手段
１０３  火炉
１０４，１０４ａ，１０４ｂ，１０４ｃ  検出管
１０５，１０５ａ，１０５ｂ，１０５ｃ  火炉ドラフト計
１０６，１０８，１１０，１１２，１２３，１２４，１２５  リレー
１１３，１２７  テストターミナル
２００，２０１，２０２，２０３  ボイラトリップ移行シーケンス回路
【図１】
2008170087.tif 000003
【図２】
2008170087.tif 000004
【図３】
2008170087.tif 000005
【図４】
2008170087.tif 000006
【図５】
2008170087.tif 000007
【図６】
2008170087.tif 000008
【図７】
2008170087.tif 000009
【図８】
2008170087.tif 000010